(57)【要約】【課題】  本発明は、１つまたは複数のスライドタッチセンサを同時に操作することにより、各スライドタッチセンサにそれぞれ割り当てられた機能とは異なる機能を実行できるようにした表示装置を提供する。【解決手段】  表示装置であって、接触位置に応じた信号を出力するスライドタッチセンサ４、５と、画像を表示する表示手段３と、前記スライドタッチセンサ４、５の出力に基づいて所定の機能を実行させるための制御を行なう制御手段とを有し、前記スライドタッチセンサ４または５の複数箇所が同時操作された場合、または、複数の前記スライドタッチセンサ４および５が同時操作された場合、前記スライドタッチセンサ４、５がそれぞれ単独操作された時に実行される機能とは異なる機能が実行されることを特徴とする。【選択図】  図１
2005322087.tif 000002
【特許請求の範囲】
【請求項１】
接触位置に応じた信号を出力するスライドタッチセンサと、
画像を表示する表示手段と、
前記スライドタッチセンサの出力に基づいて所定の機能を実行させるための制御を行なう制御手段とを有し、
前記スライドタッチセンサの複数箇所が同時操作された場合、または、複数の前記スライドタッチセンサが同時操作された場合、前記スライドタッチセンサがそれぞれ単独操作された時に実行される機能とは異なる機能が実行されることを特徴とする表示装置。
【請求項２】
前記スライドタッチセンサは、少なくとも前記表示手段の縦方向または横方向に沿って設けられていることを特徴とする請求項１に記載の表示装置。
【請求項３】
前記スライドタッチセンサの複数箇所の同時操作は、前記スライドタッチセンサの複数箇所それぞれに接触し、接触状態を維持したまま、一箇所または複数箇所の接触位置を移動することにより行なわれることを特徴とする請求項１または２に記載の表示装置。
【請求項４】
前記制御手段は、前記スライドタッチセンサの一箇所または複数箇所の接触位置の移動方向を検出し、該移動方向に基づいて、異なる機能を実行させるように制御することを特徴とする請求項３に記載の表示装置。
【請求項５】
前記スライドタッチセンサは、少なくとも前記表示手段の縦方向および横方向に沿って設けられている２つのスライドタッチセンサからなることを特徴とする請求項１に記載の表示装置。
【請求項６】
前記２つのスライドタッチセンサの同時操作は、前記２つのスライドタッチセンサのそれぞれに接触し、接触状態を維持したまま、一方または両方の接触位置を移動することにより行なわれることを特徴とする請求項５に記載の表示装置。
【請求項７】
前記制御手段は、前記２つのスライドタッチセンサの一方または両方の接触位置の移動方向を検出し、該移動方向に基づいて、異なる機能を実行させるように制御することを特徴とする請求項６に記載の表示装置。
【請求項８】
前記制御手段は、前記２つのスライドタッチセンサの一方または両方の接触位置の移動量を検出し、該移動量に基づいて、実行される機能の条件を変化させるように制御することを特徴とする請求項７に記載の表示装置。
【発明の詳細な説明】
【技術分野】
【０００１】
本発明は、画像等を表示するための表示装置に関する。
【背景技術】
【０００２】
従来、画像や文字等を表示する表示装置には、画面や画像の操作を行なったり、文字や記号を入力したりするための操作キーが設けられている。特に携帯型の表示装置では、限られたスペースに配置できる操作性の優れた操作キーが望まれている。例えば、携帯電話等の携帯端末装置において、指の接触位置を検出することができる２つの１次元タッチセンサ（以下、接触位置を検出することができるセンサをスライドタッチセンサという）を、画面の縦方向および横方向に沿って設けた装置が知られている（特許文献１）。
【特許文献１】特開２００２−３３３９５１号公報
【発明の開示】
【発明が解決しようとする課題】
【０００３】
しかしながら、特許文献１に記載の装置は、各スライドタッチセンサでそれぞれ縦または横の座標を指定し、座標に対応するメニューや文字・記号等を選択したり、各スライドタッチセンサの接触位置またはなぞる操作に基づいて、それぞれ縦方向または横方向へ地図のスクロールを行なったりしている。すなわち、特許文献１に記載の装置では、各スライドタッチセンサは、各スライドタッチセンサにそれぞれ割り当てられた機能を単独で実行するように構成されているにすぎず、それ以上の機能を実行することはできないものであった。
本発明は、このような問題点に鑑みなされたものであり、１つまたは複数のスライドタッチセンサを同時に操作することにより、各スライドタッチセンサにそれぞれ割り当てられた機能とは異なる機能を実行できるようにした表示装置を提供するものである。
【課題を解決するための手段】
【０００４】
本発明は、表示装置であって、接触位置に応じた信号を出力するスライドタッチセンサと、画像を表示する表示手段と、前記スライドタッチセンサの出力に基づいて所定の機能を実行させるための制御を行なう制御手段とを有し、前記スライドタッチセンサの複数箇所が同時操作された場合、または、複数の前記スライドタッチセンサが同時操作された場合、前記スライドタッチセンサがそれぞれ単独操作された時に実行される機能とは異なる機能が実行されることを特徴とする。
前記スライドタッチセンサは、少なくとも前記表示手段の縦方向または横方向に沿って設けられていることを特徴とする。
前記スライドタッチセンサの複数箇所の同時操作は、前記スライドタッチセンサの複数箇所それぞれに接触し、接触状態を維持したまま、一箇所または複数箇所の接触位置を移動することにより行なわれることを特徴とする。
前記制御手段は、前記スライドタッチセンサの一箇所または複数箇所の接触位置の移動方向を検出し、該移動方向に基づいて、異なる機能を実行させるように制御することを特徴とする。
前記スライドタッチセンサは、少なくとも前記表示手段の縦方向および横方向に沿って設けられている２つのスライドタッチセンサからなることを特徴とする。
前記２つのスライドタッチセンサの同時操作は、前記２つのスライドタッチセンサのそれぞれに接触し、接触状態を維持したまま、一方または両方の接触位置を移動することにより行なわれることを特徴とする。
前記制御手段は、前記２つのスライドタッチセンサの一方または両方の接触位置の移動方向を検出し、該移動方向に基づいて、異なる機能を実行させるように制御することを特徴とする。
前記制御手段は、前記２つのスライドタッチセンサの一方または両方の接触位置の移動量を検出し、該移動量に基づいて、実行される機能の条件を変化させるように制御することを特徴とする。
【発明の効果】
【０００５】
本発明は、各スライドタッチセンサを同時に操作することにより、１つまたは複数のスライドタッチセンサにそれぞれ割り当てられた機能とは異なる機能を実行できるようにした表示装置を提供することができる。
【発明を実施するための最良の形態】
【０００６】
次に、本発明の内容を詳細に説明するが、本発明はこれら実施の形態に何ら限定されるものではない。
【０００７】
図１は本発明の実施の形態にかかる表示装置１の正面図で、図２は図１の表示装置１を上方から見た上面図である。表示部材２は、液晶パネル等の表示部３、表示部３の縦方向および横方向に沿ってそれぞれ設けられたスライドタッチセンサ４および５、スライドタッチセンサ４、５の両端部にそれぞれ設けられたタッチセンサ６等から構成されている。本体部材７の正面には、表示部３にメニュー画面を表示させる等の画面操作を行う画面操作キー８、メニューの選択、決定等を行なうジョイスティック等のメニュー操作キー９、再生、早送り、録画等の操作を行なうＡＶ操作キー１０、音声の出力を行なうスピーカ１１等が設けられ、側面には記録媒体を挿入できるカードスロット１２が設けられている。本体部材７の上面には、電源キー１３、輝度調整等を行なうための画面調整キー１４、選局キー１５、音量キー１６、他の電子機器を遠隔操作するための信号やデータを送受信する無線送受信部１７、他の電子機器からまたは他の電子機器へ画像信号や音声信号等のデータを送受信する無線送受信部１８等が設けられている。
【０００８】
なお、表示部材２は本体部材７に対して、回転軸１９を中心に回転できるように構成されている。図３は、図１の状態から表示部材２を反時計方向へ９０度回転させた状態を示す図である。
【０００９】
図４は、本発明の表示装置のブロック図である。表示装置１は、他の電子機器からまたは他の電子機器へ画像信号や音声信号等のデータを送受信する無線送受信部１８、画像、映像、音楽または電子ブック等の記録された記録媒体を挿入できるカードスロット１２、カードスロット１２に挿入された記録媒体に記録されたデータを読み取る外部メモリ制御部２０、無線送受信部１８で受信したデータまたは外部メモリ制御部２０のデータのいずれかを選択する切替部２１、切替部２１で選択されたデータの音声信号の信号処理を行なう音声処理部２２、音声処理部２２からの信号に基づいて音声を出力するスピーカ１１、切替部２１で選択されたデータの画像信号の拡大、縮小等の処理を行なうスケーラ２３、スケーラ２３からの画像信号の信号処理を行なう画像処理部２４、表示装置１全体の制御を行なうマイコン２６、各種設定値等が記憶されているＲＯＭ２７、スライドタッチセンサ４、５や各操作キー等を含む操作部２８、操作部２８の操作に基づいて画面上に表示される各種調整値や各メニュー等（以下、ＯＳＤという）を発生するＯＳＤ発生部２９、画像処理部２４からの画像信号とＯＳＤ発生部２９からの信号を重畳する重畳部２５、重畳部２５からの信号に基づいて画像を表示する表示部３、操作部２８の操作に基づいて他の電子機器を遠隔操作するための信号やデータを送受信する無線送受信部１７等から構成される。
【００１０】
以上のような構成により、本発明の表示装置１は、様々の用途に用いることができるものである。例えば、携帯して持ち運びすることができ、家庭内にあるテレビ、ＤＶＤ等の他の電子機器の画像や音声を無線送受信部１８で受信して、離れた場所で他の電子機器の画像や音声を視聴することができる。また、操作部２８の操作により他の電子機器を遠隔操作する信号を無線送受信部１７から送信して、他の電子機器の遠隔操作装置として用いることができる。また、カードスロット１２に記録媒体を挿入して、画像、映像、電子ブック等を見たり、または音楽を聴いたりすることができる。また、図示はしていないが、インターネットと接続できる通信装置を内蔵したり、またはカード型通信装置を挿入できる構成にして、ＷＥＢ画面を閲覧したり、電子メールの送受信等を行なうこともできる。
【００１１】
また、図１乃至図３に示した表示装置１は、表示部材２を回転させて表示部３の向きを変えることができるように構成されている。従って、テレビ、ＤＶＤ等の横長の画像を見る場合は、表示部３が横長の図１の状態で視聴し、電子ブックやＷＥＢ画面等の縦長の画像を見る場合は、表示部３が縦長の図３の状態で視聴することができるので、非常に見やすいものである。さらに、いずれの向きにおいても、本体部材７に設けられた各操作キーの向きは変わらないため、画像に対して常に同じ向きから操作ができ操作性にも優れている。なお、本発明は、表示部材２が回転しない構成の表示装置にも適用できることは勿論である。
【００１２】
また、表示部３に表示されるメニュー等のＯＳＤは、図１の状態では横長の画面に合わせた向きで表示され、図３の状態では縦長の画面に合わせた向きで表示されるようにマイコン２６で制御される。例えば、表示部材２と本体部材７の対向する面等に、表示部材２の回転位置や回転範囲に応じて作動するスイッチを設け、該スイッチの出力に基づいて各画面に合わせた表示を行なうように制御することができる。
【００１３】
次に、スライドタッチセンサ４、５の操作について説明する。
図１に示すように、スライドタッチセンサ４、５は、表示部３の縦方向と横方向に沿ってそれぞれ設けられている。スライドタッチセンサ４、５は、指等で接触することにより、接触位置に応じた信号を出力し、マイコン２６で接触位置を判断することができる。また、スライドタッチセンサ４、５上に接触した指を移動することにより、接触位置に応じた信号の変化に基づいて、移動方向および移動距離を判断することもできる。また、指が接触している時間が所定時間以上か否かを判断して、長押しされたか否かを判断することもできるように構成されている。
【００１４】
以下、スライドタッチセンサ４、５を、単独操作する場合と同時操作する場合の具体例について説明する。
図５は、カードスロット１２に挿入された記録媒体の画像が表示部３に表示されている状態を示す。単独操作としては、音量を調整したい場合は、スライドタッチセンサ４に指を接触すると音量調整バー３０が表示され、スライドタッチセンサ４に接触した指をいずれかの方向へ移動させることにより音量を変化させることができる。また、画面の輝度を変化させたい場合は、スライドタッチセンサ５に指を接触すると輝度調整バー３１が表示され、スライドタッチセンサ５に接触させた指をいずれかの方向へ移動することにより画面の明るさを変化させることができる。このように、例えば、スライドタッチセンサ４、５はそれぞれ単独で、音量または輝度の調整を行なうことができるように構成されている。
【００１５】
同時操作としては、例えば、画像の拡大および縮小を行なうことができる。まず、スライドタッチセンサ４、５の両方にそれぞれ指を接触させると、前述の音量調整バー３０も輝度調整バー３１も表示はされず、また、いずれかのバーが表示されていた場合は、表示が消えるように制御される。この状態で、スライドタッチセンサ４に接触した指を上方向へ、スライドタッチセンサ５に接触した指を左方向へそれぞれ同時に移動させると画像が拡大される。画像の拡大率は、指の移動量が増えるに従って大きくなるように構成されている。また、スライドタッチセンサ４、５の両方にそれぞれ指を接触させた状態で、スライドタッチセンサ４に接触した指を下方向へ、スライドタッチセンサ５に接触した指を右方向へそれぞれ同時に移動させると画像が縮小される。画像の縮小率も、拡大率と同様に指の移動量に応じて変化するように構成されている。
この具体例によれば、２つのスライドタッチセンサ４、５で、音量調整、輝度調整、拡大、縮小という４つの機能を実行することができ、さらに、拡大率、縮小率までも制御することができるものである。
【００１６】
このように、本発明は、スライドタッチセンサを用いて同時操作を行なうことにより、指の移動方向や移動量等も利用してセンサの数を増やすことなく多くの機能を実現でき、小型化に寄与し操作性に優れているものである。
【００１７】
なお、画像の拡大、縮小は、予め表示装置１に設定されている最大拡大率、最大縮小率の範囲内で行なわれるが、最大値まで拡大または縮小が実行された場合は、それ以上スライドタッチセンサに接触した指を移動したとしても、最大値の拡大画像または縮小画像の表示が維持されるように制御される。
【００１８】
また、画像の拡大、縮小の処理は、図４に示したスケーラ２３で行なわれ、拡大または縮小された画像信号は、その後段に設けられた重畳部２５で、ＯＳＤ発生部２９からの出力信号と重畳される構成となっている。従って、画像が拡大または縮小された場合でも、ＯＳＤはその影響を受けずに拡大または縮小されることはないので、ＯＳＤが見にくくなるという不具合を解消することができる。
【００１９】
なお、上記の例は、２つのスライドタッチセンサを同時操作する構成であるが、１つのスライドタッチセンサの複数箇所を同時操作することにより、更に他の機能を実行するように構成することができる。
図５のように、表示部３に画像が表示されている状態を例として説明する。例えば、図５の画像がビデオの一場面で再生状態とした時に、スライドタッチセンサ５の異なる２箇所に指を接触すると、再生が一時停止の状態になる。なお、この状態から２箇所の指を離すと再生の状態に戻る。２箇所の指を接触させたまま、１箇所の指を左右いずれかの方向へ移動させると、移動方向に応じて２倍速の早送りサーチまたは早戻しサーチが実行される。また、２箇所の指を同時に移動させることにより、移動方向に応じて１６倍速の早送りサーチまたは早戻しサーチが実行される。
このように、スライドタッチセンサが複数の接触位置を検出できる特性を利用して、１つのスライドタッチセンサの複数箇所を同時に操作することにより、センサの数を増やすことなく更に多くの機能を実現することができる。
【００２０】
次に、スライドタッチセンサ４、５を、単独操作する場合と同時操作する場合の他の具体例について説明する。
図６は、表示部材２が図３の状態に回転され、カードスロット１２に挿入された記録媒体の電子ブックの頁が表示されている状態を示す。単独操作としては、表示部３に頁が全て表示しきれなかった場合、スライドタッチセンサ４または５に接触した指を移動させることによりスクロールを行なうことができる。即ち、左右方向へスクロールする時は、スライドタッチセンサ４に接触した指を左右いずれかの方向へ移動させることにより行い、上下方向へスクロールする時は、スライドタッチセンサ５に接触した指を上下いずれかの方向へ移動させることにより行なうものである。
【００２１】
同時操作としては、例えば、頁送りを行なうことができる。スライドタッチセンサ４、５の両方にそれぞれ指を接触させた状態で、スライドタッチセンサ４に接触した指を左方向へ、スライドタッチセンサ５に接触した指を下方向へそれぞれ同時に移動させると、次頁が表示される。また、スライドタッチセンサ４、５の両方にそれぞれ指を接触させた状態で、スライドタッチセンサ４に接触した指を右方向へ、スライドタッチセンサ５に接触した指を上方向へそれぞれ同時に移動させると、前頁が表示される。このように、指を移動させる方向に基づいて、次頁または前頁への頁送りを実行できるものである。
この具体例によれば、２つのスライドタッチセンサ４、５で、左右方向のスクロール、上下方向のスクロール、次頁を表示させる頁送り、前頁を表示させる頁送りという４つの機能を実行することができる。従って、この場合も、センサの数を増やすことなく多くの機能を実現でき、小型化に寄与し操作性に優れているものである。
【００２２】
他にも、スライドタッチセンサの同時操作を色々な機能に利用することができる。例えば、電源のオン・オフを実行するように構成することもできる。図１において、２つのスライドタッチセンサ４、５のそれぞれに指を接触させた状態で、スライドタッチセンサ４に接触した指を上方向へ、スライドタッチセンサ５に接触した指を左方向へそれぞれ同時に移動させると、電源がオンとなる。また、スライドタッチセンサ４、５のそれぞれに指を接触させた状態で、スライドタッチセンサ４に接触した指を下方向へ、スライドタッチセンサ５に接触した指を右方向へそれぞれ同時に移動させると、電源がオフとなる。特に電源等の操作は、例えば録画中に誤って電源をオフにしてしまうと録画が中断されてしまう等のように、誤操作をしてしまうと問題が大きいものである。従って、スライドタッチセンサに接触するだけの操作で電源のオン・オフが実行されるような構成であると、不用意に触れてしまい誤操作が起こりやすいものである。従って、このような操作を同時操作で実現することにより、操作の簡易性に加えて誤操作を防止できるという効果を奏する。
また、このように、スライドタッチセンサだけで多くの機能を実現できるため、究極的には、操作手段として表示部３の周囲にスライドタッチセンサだけを有した表示装置を実現することが可能となり、非常にシンプルですっきりしたデザインとすることができる。
【００２３】
なお、上記した複数のスライドタッチセンサの同時操作の具体例では、スライドタッチセンサ４、５の両方にそれぞれ接触させた指を同時に移動させることにより操作を行なっているが、本発明はこれに限定されるものではない。例えば、スライドタッチセンサ４、５の両方にそれぞれ指を接触させた状態で、一方の指は移動させずに、他方の指だけを移動させて同時操作を行なうように構成することもできる。
【００２４】
また、上記各具体例では、２つのスライドタッチセンサ４、５を用いているが、本発明はこれに限定されるものではない。例えば、図７に示すように、３つのスライドタッチセンサ３２、３３、３４を設けてもよい。スライドタッチセンサを３つ設けた場合は、操作性を考えて、画面の向きに応じて使用するスライドタッチセンサを使い分けることもできる。例えば、表示部３を横長の画面で使用する時は、スライドタッチセンサ３２、３３の２つを用いて操作を行い、表示部３を図３の状態の縦長の画面で使用する時は、スライドタッチセンサ３３、３４の２つを用いて操作を行なうように構成することができる。このようにすれば、横長の画面でも縦長の画面でも、見ている画面の向きに対して同じ位置にあるスライドタッチセンサを用いて操作を行なうことができるため、画面の向きにより操作するスライドタッチセンサの位置が異なってしまうという煩雑さが解消され操作性に優れたものとなる。
【００２５】
勿論、３つのスライドタッチセンサ３２、３３、３４の全てを用いて同時操作を行なうように構成してもよい。この場合は、例えば、３つのスライドタッチセンサに指をそれぞれ接触させた状態で、３つの指全てを移動させてもよいし、いずれか１つまたは２つの指だけを移動させるように構成してもよい。従って、指を接触または移動させるスライドタッチセンサの組み合わせにより、更に多くの機能に対応できるものである。
【００２６】
また、図８に示すように、表示部３の周囲に４つのスライドタッチセンサ３５、３６、３７、３８を設けるように構成することもできる。この場合は、画面の向きに加えて、右利きまたは左利き等に応じて、使用するスライドタッチセンサを使い分けることができる。例えば、事前に右利きか左利きかを設定しておくことにより、図８に示す横長の画面では、右利きのユーザはスライドタッチセンサ３５、３６を使用し、左利きのユーザはスライドタッチセンサ３６、３７を使用するように構成することができ、非常に操作がし易いものとなる。また、表示部材２を回転させて図３に示す縦長の画面にした場合は、右利きのユーザはスライドタッチセンサ３６、３７を使用し、左利きのユーザはスライドタッチセンサ３７、３８を使用するように構成することができ、同様に操作がし易いものとなる。勿論、４つのスライドタッチセンサ全てを用いて同時操作を行なう構成にしてもよく、３つのスライドタッチセンサを設けた場合と同様に、指を接触または移動させるスライドタッチセンサの組み合わせにより、更に多くの機能に対応することができるものである。
【００２７】
また、各スライドタッチセンサが単独で長押しされた場合にも、異なる機能が実行される構成にすれば、されに実現できる機能の数を増やすことができる。
なお、以上説明したようなスライドタッチセンサの数や操作方法は一例であり、他にも様々な組み合わせが適用できるものである。
【図面の簡単な説明】
【００２８】
【図１】本発明の実施の形態にかかる表示装置の正面図。
【図２】図１の表示装置の上面図。
【図３】図１の表示装置において表示部材を９０度回転させた状態を示す正面図。
【図４】本発明の実施の形態にかかる表示装置のブロック図。
【図５】２つのスライドタッチセンサの同時操作を説明するための図。
【図６】２つのスライドタッチセンサの他の同時操作を説明するための図。
【図７】本発明の他の実施の形態にかかる表示装置の正面図。
【図８】本発明の他の実施の形態にかかる表示装置の正面図。
【符号の説明】
【００２９】
１      表示装置
２      表示部材
３      表示部（表示手段）
４      スライドタッチセンサ
５      スライドタッチセンサ
６      タッチセンサ
７      本体部材
８      画面操作キー
９      メニュー操作キー
１０    ＡＶ操作キー
１１    スピーカ
１２    カードスロット
１３    電源キー
１４    画面調整キー
１５    選局キー
１６    音量キー
１７    無線送受信部
１８    無線送受信部
１９    回転軸
２０    外部メモリ制御部
２１    切替部
２２    音声処理部
２３    スケーラ
２４    画像処理部
２５    重畳部
２６    マイコン（制御手段）
２７    ＲＯＭ
２８    操作部
２９    ＯＳＤ発生部
３０    音量調整バー
３１    輝度調整バー
３２    スライドタッチセンサ
３３    スライドタッチセンサ
３４    スライドタッチセンサ
３５    スライドタッチセンサ
３６    スライドタッチセンサ
３７    スライドタッチセンサ
３８    スライドタッチセンサ
【図１】
2005322087.tif 000003
【図２】
2005322087.tif 000004
【図３】
2005322087.tif 000005
【図４】
2005322087.tif 000006
【図５】
2005322087.tif 000007
【図６】
2005322087.tif 000008
【図７】
2005322087.tif 000009
【図８】
2005322087.tif 000010